(57)【要約】【課題】補助操作部材によってスプールを補助的に巻回可能とした魚釣用リールにおいて、補助操作部材の操作を軽快に行なえるようにする。【解決手段】本発明の魚釣用リールは、リール本体１に設けられたスプール７に、リール本体の側部に設けられたハンドル５の回転操作で釣糸を巻回する構成において、釣竿を保持した手の指で操作可能な位置に、スプール７に釣糸を補助的に巻回可能とする釣糸巻取り用の補助操作部材４０を配置する。そして、補助操作部材４０で釣糸の補助的な巻回操作を行なっている際、ハンドル５の釣糸巻取り方向への回転を阻止する阻止機構７０を設けたことを特徴とする。【選択図】    図２
2006075096.tif 000002
【特許請求の範囲】
【請求項１】
リール本体に設けられたスプールに、リール本体の側部に設けられたハンドルの回転操作で釣糸を巻回する魚釣用リールにおいて、
釣竿を保持した手の指で操作可能な位置に配置され、スプールに釣糸を補助的に巻回可能とする釣糸巻取り用の補助操作部材と、
前記補助操作部材で釣糸の補助的な巻回操作を行なっている際、前記ハンドルの釣糸巻取り方向への回転を阻止する阻止機構と、
を有することを特徴とする魚釣用リール。
【請求項２】
前記阻止機構は、前記ハンドルが装着されるハンドル軸とハンドルを構成するアーム部材との間に介在される一方向クラッチを有することを特徴とする請求項１に記載の魚釣用リール。
【請求項３】
前記阻止機構は、前記ハンドルが装着されるハンドル軸を挿通する筒部材と、
この筒部材と前記ハンドル軸との間に介在される一方向クラッチと、
を有することを特徴とする請求項１に記載の魚釣用リール。
【請求項４】
前記ハンドル軸に、前記ハンドルの逆回転を防止する逆転防止機構を設けたことを特徴とする請求項３に記載の魚釣用リール。
【発明の詳細な説明】
【技術分野】
【０００１】
本発明は、リール本体の側板間に釣糸が巻回されるスプールを回転自在に支持した魚釣用リールに関し、特に、スプールに釣糸を補助的に巻回可能に構成した魚釣用リールに関する。
【背景技術】
【０００２】
従来、釣法の一つとして、ルアーと称される疑似餌にアクションを与えて魚を釣るルアーフィッシングが知られている。このような釣法では、リールを握持保持した手によるロッド操作と、反対側の手による巻取り操作とを使い分けて行なっているが、キャスティング操作する腕が伸びている状態やハンドルが下側に向いている場合など、他方の手が不自然となって、容易かつ微妙なハンドル回転による巻取り操作が行なえないという不具合が生じる。
【０００３】
そこで、このような不具合を解消するために、特許文献１及び特許文献２には、スプールに釣糸を補助的に巻回する補助操作部材をリール本体に設け、リールの安定した状態を維持しながらロッドを保持した手の指で補助操作部材を回転操作して、ルアーアクション操作及び微妙な巻取り操作を迅速かつ容易に行なえるようにした魚釣用リールが開示されている。
【特許文献１】特開２００４−１２１号公報
【特許文献２】特開２００４−１４１０５９号公報
【発明の開示】
【発明が解決しようとする課題】
【０００４】
しかしながら、上記した公知技術では、ルアーアクションを行なうに際し、リール本体に設けられた補助操作部材を回転操作すると、スプールの巻取り駆動機構に連結されているハンドルが連動して回転してしまう。すなわち、端部にハンドル摘みを有するハンドルアームが回転することで、慣性モーメントが大きくなり、補助操作部材の回転操作力が重くなって操作性に劣ると共に、ハンドルが回転する勢いでスプールも必要以上にオーバーランしてしまうという問題が生じる。
【０００５】
特に、ハンドル摘みがハンドルアームの両端部ではなく、一端だけに設けられている構成（シングルハンドル）では、重量バランスが取れていないと、上記補助操作部材の回転操作性の低下及びオーバーラン現象が、より顕著に発生する。
【０００６】
本発明は、上記した問題に着目して成されたものであり、補助操作部材によってスプールを補助的に巻回可能とした魚釣用リールにおいて、補助操作部材の操作を軽快に行なえるようにした魚釣用リールを提供することを目的とする。
【課題を解決するための手段】
【０００７】
上記した目的を達成するために、本発明に係る魚釣用リールは、リール本体に設けられたスプールに、リール本体の側部に設けられたハンドルの回転操作で釣糸を巻回する構成において、釣竿を保持した手の指で操作可能な位置に配置され、スプールに釣糸を補助的に巻回可能とする釣糸巻取り用の補助操作部材と、前記補助操作部材で釣糸の補助的な巻回操作を行なっている際、前記ハンドルの釣糸巻取り方向への回転を阻止する阻止機構とを有することを特徴とする。
【０００８】
上記した構成の魚釣用リールによれば、キャスティング操作を行なった後、そのまま釣竿（ロッド）と共に保持している手の指で、補助操作部材を操作することで、釣糸を補助的にスプールに巻回させることが可能となる。すなわち、釣竿を操作する腕の伸縮状態や、その腕の手首の状態に何等影響を受けることなく、キャスティング操作した後、釣竿及びリール本体を一体的に保持している側の手の指の操作で、容易かつ微妙な釣糸の巻取り操作が行なえるようになる。また、補助操作部材を操作している間、阻止機構によってハンドル部分が連れ回りすることは無く、補助操作部材の操作力が重くなったり、スプールが必要以上にオーバーランするようなことも無い。
【発明の効果】
【０００９】
本発明の魚釣用リールによれば、補助操作部材によってスプールを補助的に巻回可能とした魚釣用リールにおいて、補助操作部材の操作が軽快に行なえるようになる。
【発明を実施するための最良の形態】
【００１０】
以下、本発明に係る魚釣用リールの実施形態について、添付図面を参照して具体的に説明する。  
図１〜図５は、本発明に係る魚釣用リールの第１の実施形態を示す図であり、図１は補助操作部材の部分を切欠いて示す部分断面平面図、図２はハンドル軸部分を切欠いて示す部分断面平面図、図３は側板を外してハンドル側から見た側面図、図４は補助操作部材を倒伏操作する前の状態を示す図、そして、図５は補助操作部材を倒伏操作した際の状態を示す図である。
【００１１】
本実施形態の魚釣用リールのリール本体１は、左右フレーム２ａ，２ｂと、各フレームに対し、所定の空間をもって装着される左右側板３ａ，３ｂとを備えており、一方の側板側（本実施形態では右側板３ｂ側）には、ハンドル５を装着したハンドル軸６が、右フレーム２ｂと右側板３ｂとの間で軸受を介して回転可能に支持されている。なお、前記ハンドル５は、ハンドル軸６に装着されるアーム部材５ａと、このアーム部材５ａの両端部に回転可能に装着されるハンドル摘み５ｂによって構成されている。
【００１２】
左右側板３ａ，３ｂ間には、釣糸が巻回されるスプール７が取り付けられたスプール軸８が回転可能に支持されており、スプール７は、前記ハンドル軸６に回転可能に取り付けられている駆動歯車１０及びスプール軸８に継脱可能に支持されているピニオン１２を具備した巻取り駆動機構１３を介して、ハンドル５の回転操作によって回転駆動されるように構成されている。また、左右側板３ａ，３ｂ間には、スプール軸８よりも前方側で、かつ上方側に、リール本体を握り込んだ際、親指が載置できるように指当て部材（サムレスト）１５が配置されている。
【００１３】
前記巻取り駆動機構１３の前記ピニオン１２には、公知のクラッチ機構１７が係合しており、スプール後方のクラッチレバー１８を押し下げることでスプール軸８との継合を解除してクラッチＯＦＦ（スプールフリー状態）とし、ハンドル５を巻取り操作することで、クラッチＯＦＦからクラッチＯＮ（スプール回転状態）に自動復帰できるようになっている。
【００１４】
また、前記巻取り駆動機構１３には、複数の動力伝達用の歯車を具備した動力伝達機構２０が連結されており、後述する補助操作部材を回動操作することで、動力伝達機構２０を介してスプール７を補助的に巻取り操作できるように構成されている。本実施形態における動力伝達機構２０は、前記駆動歯車１０と隣接するようにハンドル軸６に取り付けられた歯車２１と、この歯車２１に噛合すると共にスプール７に釣糸を平行に巻回するよう左右に往復動する公知のレベルワインド装置３０を構成する駆動軸３１の端部に取り付けられた歯車２２と、右フレーム２ｂに一体回転可能に併設支持された歯車２３，２４とを備えている。なお、前記歯車２２は、併設された歯車の内、ハンドル側の歯車２３に噛合している。
【００１５】
前記左右側板３ａ，３ｂ間には、補助操作部材４０が回動可能に支持されている。この補助操作部材４０は、左右フレーム２ａ，２ｂ間に、軸受を介して回転可能に支持された駆動軸４１を囲繞するように設けられており、軸方向に亘って径方向に突出する操作部４０ａを備えている。この場合、補助操作部材４０は、その操作部４０ａが釣竿を保持した手の指で操作可能な位置、例えば、本実施形態のように、左右側板３ａ，３ｂ間に回動可能に支持されていれば良く、上記した指当て部材１５の後方側において回動可能に支持しておくことが好ましい。すなわち、補助操作部材４０を、このような位置に配置しておくことにより、リール本体を握り込んだ際に指当て部材１５に親指を載置すると、図４及び図５に示すように、そのまま親指の腹部で回動操作（倒伏操作）を行なうことが可能となる。
【００１６】
前記補助操作部材４０の基部には、左フレーム２ａとの間で付勢バネ４３が設けられており、操作部４０ａは常時前方側に回動する方向に付勢され、倒伏操作する毎に自動的に初期位置に復帰するようになっている。
【００１７】
前記駆動軸４１は、右フレーム２ｂからハンドル側に突出しており、その突出端には、前記動力伝達機構２０を構成すると共に、前記歯車２４と噛合する歯車４５が取り付けられている。そして、この歯車４５と前記駆動軸４１との間には、一方向クラッチ５０が介在されている。一方向クラッチ５０は、右側板側に設けられた一方向クラッチ収容部５１内に収容されており、歯車４５に嵌合される（又は歯車４５と一体形成される）外輪と、複数のコロ及びこれを保持する保持器とを備えており、各コロは、保持器との間に介在されたバネ部材の付勢力によって外輪に形成された楔領域に向けて付勢された状態となっている。
【００１８】
この場合、一方向クラッチ５０は、補助操作部材４０の操作部４０ａを、図４に示す初期位置から、前記付勢バネ４３の付勢力に抗して図５に示すように後方に回動（倒伏）操作すると、楔作用によって、その回転は、そのまま歯車４５に伝達され、かつ歯車４５がハンドル５の巻取り操作で回転駆動されると、その回転は駆動軸４１に伝達されないように配置されている。
【００１９】
そして、操作部４０ａの回動操作によって一方向クラッチ５０を介して駆動される歯車４５の回転は、上記した動力伝達機構２０の歯車２４（歯車２３）、歯車２２、及び歯車２１を介して巻取り駆動機構１３の駆動歯車１０に伝達され、駆動歯車１０を図３の時計回り方向に回転駆動する。この駆動歯車１０の回転駆動は、上述した巻取り駆動機構１３のピニオン１２に伝達され、スプール７を釣糸巻取り方向に回転させる（釣糸をスプールに補助的に巻回する）。
【００２０】
一方、ハンドル５を釣糸巻取り方向に回転操作すると、その回転は、前記動力伝達機構２０を介して歯車４５に伝達されるものの、上述したように、一方向クラッチ５０の各コロがフリー回転領域に移動して、その回転が駆動軸４１（補助操作部材４０）に伝達されることはない。
【００２１】
なお、前記ハンドル軸６に回転可能に装着される駆動歯車１０には、スプール７に対する制動力を調節する公知のドラグ機構が係合している。このドラグ機構は、駆動歯車１０の凹所内に収容される複数の摩擦板６０、及びこの摩擦板６０に対して押圧力を付与する押圧体６１とを備えており、前記ハンドル軸６に回転可能に装着される回転体６２（ドラグ調節体）を回転操作することにより、釣糸繰出時のスプール回転に所望の制動力が付与されるようになっている。また、ハンドル軸６には、スプール７から釣糸が繰り出された場合、ハンドル軸自身の逆回転を防止して、ドラグ機構のドラグ力を作用させるように逆転防止機構（一方向クラッチ）６５が設けられている。
【００２２】
そして、前記ハンドル軸６には、上記した補助操作部材４０の操作部４０ａを倒伏操作した際に、ハンドル５を連れ回ししないようにする阻止機構７０が配設されている。すなわち、ハンドル軸６は、操作部４０ａを倒伏操作することで、動力伝達機構２０を介して釣糸巻取り方向に回転駆動されることとなるが、その回転は、ハンドル５には伝達されないようになっている。
【００２３】
具体的に、阻止機構７０は、ハンドル軸６の先端において、前記ハンドル５を構成するアーム部材５ａとの間に配設される一方向クラッチ７１を備えており、この一方向クラッチ７１は、ハンドル５のアーム部材５ａを回転可能に支持する軸受７２の軸方向内側に配置されている。この場合、一方向クラッチ７１は、ハンドル軸６が、前記操作部４０ａを倒伏操作することで動力伝達機構２０を介して釣糸巻取り方向に回転駆動された際、その回転駆動力をハンドル５（アーム部材５ａ）に伝達することはなく、かつハンドル５（アーム部材５ａ）を釣糸巻取り方向に回転駆動した際、その回転駆動力をハンドル軸６に伝達するように設置されている。
【００２４】
以上のように構成される魚釣用リールの作用について説明する。  
仕掛けを投擲すべく、クラッチ機構１７をスプールフリー状態に切換えてキャスティング操作を行なった後、ルアーアクションを行なうに際して、釣竿と共にリール本体の反ハンドル側側板３ａを握持保持している手の指で操作部４０ａを付勢バネ４３の付勢力に抗して回動操作（倒伏操作）する（図４及び図５参照）。このような回動操作を行なうことで、前記一方向クラッチ５０、及び動力伝達機構２０を介して、その回動力がハンドル軸６に伝達されるようになり、クラッチ機構１７が自動復帰機構によってスプールフリー状態から巻取り状態に切換えられると共に、そのまま連続してスプール７の微妙な巻取り操作（巻取り補助操作）が行なえるようになる。
【００２５】
すなわち、一方の手（左手）でスプール後方のクラッチレバー１８を押し下げてクラッチＯＦＦ（スプールフリー状態）とし、キャスティング操作後に、図５に示すように、この一方の手の親指で補助操作部材４０の操作部４０ａを押込むように回動操作することで、ハンドル軸６が巻取り方向に駆動回転してクラッチ機構１７が自動的にＯＦＦからＯＮ（巻取り状態）に切換えられる。つまり、手を持ち替えることなく、一方の手（左手）のままでクラッチＯＮからＯＦＦ、ＯＦＦからＯＮの切換え、そして、引き続いて補助巻取り操作が行なえると共に、他方の手（右手）で素早くハンドルによる巻取り操作に移行することができる。
【００２６】
これにより、釣竿を操作する腕の伸縮状態や、その腕の手首の状態に何等影響を受けることなく、リール本体１を握持保持している手の指による操作で、安定した保持状態を維持しながら微妙な釣糸の巻取り操作が迅速且つ容易に行なえるようになる。この場合、補助操作部材４０の駆動軸４１と歯車４５との間には、一方向クラッチ５０が介在しているため、ハンドル５を巻取り操作してスプール７に釣糸を巻回する時には、補助操作部材４０が連動することはなく、魚釣用リール全体として操作性の向上が図れる。
【００２７】
また、上記した構成では、操作部４０ａを回動操作（倒伏操作）して、釣糸をスプール７に補助的に巻回する際、上記した阻止機構７０によって、ハンドル５（アーム部材５ａ）の回転が阻止されるため、両端部にハンドル摘み５ｂを有するアーム部材５ａによる慣性モーメントが作用することはなく、操作部４０ａの回動操作力が重くなることがなくなって操作性が向上する。また、ハンドル５が回転することもないので、その慣性力によってスプール７も必要以上にオーバーランするようなことも無い。さらに、操作部４０ａを回動操作しているときは、リール本体にハンドル回転による振動が生じることも無いので、魚のあたりに集中することができ、快適な魚釣が可能となる。
【００２８】
また、本実施形態の阻止機構７０によれば、単に、ハンドル軸６とハンドル５を構成するアーム部材５ａとの間に一方向クラッチ７１を介在させるだけで良いため、構成が簡略化される。
【００２９】
なお、通常の釣糸巻取り操作時において、ハンドル５を巻取り駆動すると、その回転駆動力は、一方向クラッチ７１を介してハンドル軸６に伝達され、ドラグ機構によって摩擦結合している駆動歯車１０を介してスプール７に伝達されるようになる。また、スプール７が釣糸の繰り出しによって、釣糸放出方向に回転駆動された際、ハンドル軸６は逆転防止機構（一方向クラッチ）６５によって逆回転できない状態になっていることから、駆動歯車１０に摩擦結合するドラグ機構によって、所望のドラグ力が作用するようになる。
【００３０】
図６及び図７は、本発明の第２の実施形態を示す図であり、上記した阻止機構の別の構成例を示した図である。これらの図において、図６はハンドル軸部分を切欠いて示す部分断面平面図、図７は側板を外してハンドル側から見た側面図である。なお、これらの図において、上記した実施形態と同一の構成部材については、同一の参照符号が付してある。
【００３１】
本実施形態における阻止機構７０は、ハンドル軸６に沿って延出し、ハンドル軸６を回転可能に挿通させる筒部材８０と、ハンドル軸６の基端側において、前記ハンドル軸６と筒部材８０との間に介在される一方向クラッチ８１とを備えて構成されている。前記筒部材８０の基端部には、上記した実施形態と同様、動力伝達機構２０を構成する歯車２１が回り止め固定されると共に、これに隣接して駆動歯車１０がドラグ機構の制動板６０を介して回転可能に装着されている。また、筒部材８０には、スプール７から釣糸が繰り出された場合、筒部材自身の逆回転を防止して、ドラグ機構のドラグ力を作用させるように逆転防止機構（一方向クラッチ）６５が設けられている。
【００３２】
この場合、上記した一方向クラッチ８１は、操作部４０ａを回動操作した際、歯車２１から筒部材８０を介してハンドル軸６に動力を伝達することは無く、かつハンドル５を釣糸巻取り方向に回転操作した際、その回転駆動力を筒部材８０に伝達する（ハンドル軸６と筒部材８０を一体回転する）よう構成されている。
【００３３】
なお、上記した構成において、前記歯車２１は、筒部材８０に対して摩擦結合されていても良い。また、筒部材８０は、図に示すように、ハンドルを巻取り駆動した際に、クラッチ機構を自動的に復帰させる公知の復帰用ラチェット８５が一体化されたものであっても良い。
【００３４】
上記したような構成によれば、補助操作部材４０の操作部４０ａを回動操作することで、それに伴う回転駆動力は、動力伝達機構２０、筒部材８０及び駆動歯車１０に伝達されるようになり、そのままスプール７を補助的に釣糸巻取り方向に回転駆動することが可能となる。このとき、上記した阻止機構７０は、筒部材８０が歯車２１によって回転駆動されても、上記した一方向クラッチ８１の作用によって、その回転駆動力を、ハンドル軸６に伝達することは無く、ハンドル５を連れ回すことはない。
【００３５】
なお、通常の釣糸巻取り操作時において、ハンドル５を巻取り駆動すると、その回転駆動力は、ハンドル軸６から一方向クラッチ８１を介して筒部材８０に伝達され、ドラグ機構によって摩擦結合している駆動歯車１０を介してスプール７に伝達されるようになる。また、スプール７が釣糸の繰り出しによって、釣糸放出方向に回転駆動された際、筒部材８０は、逆転防止機構（一方向クラッチ）６５によって逆回転できない状態になっていることから、駆動歯車１０に摩擦結合するドラグ機構によって、所望のドラグ力が作用するようになる。
【００３６】
このように、本実施形態の構成においても、上述した第１の実施形態と同様な効果が得られるようになる。
【００３７】
さらに、本実施形態の構成によれば、通常操作時において、ハンドル５の逆回転を阻止するように構成することが可能となる。すなわち、上述した第１の実施形態では、ハンドル軸６とハンドル５との間に一方向クラッチ７１を介在させているため、ハンドル５は逆回転がフリーの状態になってしまうが、本実施形態の構成によれば、そのようなフリー回転を防止することが可能となる。具体的には、本実施形態では、ハンドル５とハンドル軸６は直結状態にあり、ハンドル５の回転駆動力が直接ハンドル軸６に伝達されるようになっているため、ハンドル軸６にハンドル５の逆回転を防止する逆転防止機構を設けることが可能となる。例えば、ハンドル軸６の基端部に、ハンドル５の釣糸巻取り方向の回転のみを許容し、かつ逆回転を阻止するラチェット９０を固定しておき、これに係合する爪部材９１を右フレーム２ｂに装着しておくことによって、通常操作時において、ハンドル５の逆回転を阻止することが可能となり、魚釣操作性の向上が図れるようになる。
【００３８】
以上、本発明の実施形態について説明したが、本発明は、上述した実施形態に限定されることは無く種々変形することが可能である。例えば、上記した阻止機構は、補助操作部材４０の操作部４０ａを操作した際、ハンドル５を回転させないでスプール７を補助的に釣糸巻取り方向に回転駆動できるように機能する構成であれば良く、その構成部材や配設箇所については適宜変形することが可能である。また、スプールに釣糸を補助的に巻回する補助操作部材については、本実施形態のように、倒伏操作する以外にも、回転操作するもの、或いは牽引操作するように構成されていても良い。
【図面の簡単な説明】
【００３９】
【図１】本発明に係る魚釣用リールの第１の実施形態を示す図であり、補助操作部材の部分を切欠いて示す部分断面平面図。
【図２】ハンドル軸部分を切欠いて示す部分断面平面図。
【図３】側板を外してハンドル側から見た側面図。
【図４】補助操作部材を倒伏操作する前の状態を示す図。
【図５】補助操作部材を倒伏操作した際の状態を示す図。
【図６】本発明の第２の実施形態を示す図であり、ハンドル軸部分を切欠いて示す部分断面平面図。
【図７】側板を外してハンドル側から見た側面図。
【符号の説明】
【００４０】
１  リール本体
３ａ，３ｂ  側板
５  ハンドル
５ａ  アーム部材
５ｂ  ハンドル摘み
７  スプール
２０  動力伝達機構
４０  補助操作部材
４０ａ  操作部
５０  一方向クラッチ
７０  阻止機構
７１，８１  一方向クラッチ
８０  筒部材
９０  ラチェット
９１  爪部材
【図１】
2006075096.tif 000003
【図２】
2006075096.tif 000004
【図３】
2006075096.tif 000005
【図４】
2006075096.tif 000006
【図５】
2006075096.tif 000007
【図６】
2006075096.tif 000008
【図７】
2006075096.tif 000009